(57)【特許請求の範囲】
【請求項１】
ディジタル放送に含まれるサービス情報に基づきオンスクリーンディスプレイ回路を利用して画面上に番組情報を表示する電子番組ガイド表示機能を備えたディジタル放送受信装置において、複数の区画範囲を有する一つの時間軸を表示する時間軸表示手段と、ユーザ操作に基づいて前記時間軸の全体で表される全時間の変更とともに各区画範囲の時間帯を変更する時間軸レンジ変更手段と、前記時間軸上の複数の区画範囲に関連させた複数の個別表示領域を作成し、各個別表示領域に各区画範囲で示される時間帯の番組情報を表示する番組ガイド表示手段と、を備えたことを特徴とするディジタル放送受信装置。
【請求項２】
請求項１に記載のディジタル放送受信装置において、前記番組ガイド表示手段は、前記複数の個別表示領域のうち一つの個別表示領域には現在時刻から始まる番組の番組情報を表示することを特徴とするディジタル放送受信装置。
【請求項３】
請求項１又は請求項２に記載のディジタル放送受信装置において、前記番組ガイド表示手段は、前記時間軸表示手段による前記時間軸とは異なる時間軸とチャンネル軸とからなる番組表を表示することを特徴とするディジタル放送受信装置。
【請求項４】
請求項１乃至請求項３のいずれかに記載のディジタル放送受信装置において、前記時間軸表示手段は、前記時間軸を、円板を斜視的に見たときの外周形状に沿った形態で表示することを特徴とするディジタル放送受信装置。
【発明の詳細な説明】
【０００１】
【産業上の利用分野】
この発明は、ディジタル放送を受信するディジタル放送受信装置に関する。
【０００２】
衛星や地上波を用いたディジタル放送を受信するディジタル放送受信装置は、専用のアンテナや地上波用アンテナを通して受け取った複数の放送波のなかから任意の放送波をチューナによって選択し、この選択した放送波に含まれる複数のチャンネルなかから任意のチャンネルをデマルチプレクス処理によって選択し、この選択したチャンネルのディジタル信号を取り出し、これをデコードすることによって映像・音声信号を出力することができる。
【０００３】
【従来の技術】
ところで、このようなディジタル放送では、従来のアナログ放送と同様に映像や音声を送信することに加え、番組名、番組詳細、番組開始時間、番組終了時間なども送信しており、受信機側ではＯＳＤ（オンスクリーンディスプレイ）表示回路を用いたＥＰＧ（電子番組ガイド）画面表示によって、多チャンネル放送のなかから視聴者が望む番組を選択できるようになっている。
【０００４】
【発明が解決しようとする課題】
しかしながら、従来のＥＰＧ画面表示では、新聞の番組欄と同様の表示を行っており、番組内容の表示領域は時間軸の長さに拘束されたものとなっている。すなわち、例えば１時間を或る長さに設定したとすると、その長さを一辺とする方形領域内が１時間分の番組内容の表示領域となる。前記長さを短くすれば一画面に表示できる時間幅は長くなるが、１時間分の番組内容の表示領域は狭いものとなり、番組情報を十分に記述することができない。一方、前記長さを長くすれば一画面に表示できる時間幅は短くなり、数日先の番組を知るためには、画面全体を数日分スクロールさせる操作が必要になる。
【０００５】
この発明は、上記の事情に鑑み、数日乃至数十日先の番組表を素早く利用者に提示することができるディジタル放送受信装置を提供することを目的とする。
【０００６】
【課題を解決するための手段】
この発明のディジタル放送受信装置は、上記の課題を解決するために、ディジタル放送に含まれるサービス情報に基づきオンスクリーンディスプレイ回路を利用して画面上に番組情報を表示する電子番組ガイド表示機能を備えたディジタル放送受信装置において、時間軸を表示すると共に、この時間軸の一部を構成している時間幅に関連させ且つその表示長さに拘束されない長さの辺を有した別表示領域を作成し、この別表示領域に前記時間幅内の番組情報を表示するように構成したことを特徴とする。
【０００７】
上記構成においては、例えば２４時間が前記時間軸上で或る長さで表示されたとしても、前記２４時間の表示長さに拘束されずに長い長さの辺を有した大きな別表示領域を作成することができるので、この大きな別表示領域において２４時間分の番組欄を表示することができる。そして、前記時間軸上に例えば２４時間後、４８時間後、７２時間後といった時間を設定しておくことで、利用者は数日先の番組情報を素早く知ることができる。
【０００８】
前記別表示領域が複数個作成されるように構成してもよい。複数の別表示領域のうち一つは現在時刻から始まる番組の情報が表示される構成であれば、常に現在時刻の番組表を見ることができる。また、前記時間軸上の時間が利用者によって変更された場合に、別表示領域には前記変更された時間の番組情報を表示するようにしてもよい。また、前記時間軸として回転型を採用してもよい。
【０００９】
【発明の実施の形態】
以下、この発明の実施形態を図１乃至図４に基づいて説明するが、ここではユーザがＢＳ（Ｂｒｏａｄｃａｓｔｉｎｇ  Ｓａｔｅｌｌｉｔｅ）ディジタル放送を視聴する場合を例示している。図１はＢＳディジタル放送を受信するこの実施形態のディジタル放送受信装置３０を示したブロック図であり、図２乃至図４は電子番組ガイド表示画面の一例を示した説明図である。
【００１０】
図１に示すアンテナ１は屋外において所定の方向に向けて配置されており、ＢＳから送られてくるディジタル放送信号を受信する。このアンテナ１は、一般に周波数変換器を備え、受信／周波数変換した信号をチューナ２に与える。
【００１１】
チューナ２は、受信した高周波ディジタル変調信号のうちから特定周波数の信号を取り出す。すなわち、ディジタル放送の複数のトランスポンダのなかから一つを選択する処理を行う。また、チューナ２は、復調回路、逆インタリーブ回路、誤り訂正回路などを備えることにより、選択したディジタル変調信号を復調してトランスポート・ストリームを出力する。
【００１２】
デマルチプレクサ（ＤＥＭＵＸ）３は、チューナ２から受け取ったトランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオトランスポートパケット、オーディオトランスポートパケット、およびＰＳＩ（Ｐｒｏｇｒａｍ  Ｓｐｅｃｉｆｉｃ  Ｉｎｆｏｒｍａｔｉｏｎ）に分離する。デマルチプレクサ３は、ビデオトランスポートパケットとオーディオトランスポートパケットをＡＶデコーダ４に供給し、ＰＳＩに含まれるサービス情報などをＣＰＵ１３に供給する。なお、前述のごとく、トランスポート・ストリームには複数のチャンネルが多重化されており、このなかから任意のチャンネルを選択するための処理は、前記ＰＳＩから任意のチャンネルがトランスポート・ストリーム中でどのパケットＩＤで多重化されているかといったデータを取り出すことで可能となる。また、トランスポート・ストリームの選定（トランスポンダの選定）もＰＳＩの情報に基づいて行うことができる。
【００１３】
ＡＶデコーダ４は、ビデオトランスポートパケットに対してデコードを行うビデオデコーダ、及びオーディオトランスポートパケットに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路５に出力され、音声データは音声処理回路６に出力される。
【００１４】
映像処理回路５はＡＶデコーダ４から映像データを受け取り、Ｄ／Ａ変換を行い、例えばＮＴＳＣフォーマットのコンポジット信号に変換する。音声信号処理回路６はＡＶデコーダ４から出力された音声データを受け取り、Ｄ／Ａ変換を行い、右（Ｒ）音のアナログ信号および左（Ｌ）音のアナログ信号を生成する。映像出力回路７及び音声出力回路８は出力抵抗や増幅器等を備えて成る。ＡＶ出力端子９には出力部（左右音声出力端子および映像出力端子のセット）が設けられており、この出力部には、映像／音声コード１７によってＣＲＴ１６ａ及びスピーカ１６ｂを備えるモニタ１６が接続される。
【００１５】
ＯＳＤ（オンスクリーンディスプレイ）表示回路１２は、ＣＰＵ１３から出力指示された文字情報や図形情報に基づくビットマップデータを加算器２０に出力する。加算器２０は前記ビットマップデータを映像データに組み込む。上記ＯＳＤ表示回路１２により、ＣＰＵ１３が受け取った前述のＰＳＩに含まれるサービス情報に基づく電子番組ガイド（ＥＰＧ：Ｅｌｅｃｔｒｏｎｉｃ  Ｐｒｏｇｒａｍ  Ｇｕｉｄｅ）画面表示が実現される。
【００１６】
メモリ１４Ａには前記電子番組ガイド画面表示において用いる番組情報（番組名、番組詳細、番組開始時間、番組終了時間など）が格納される。不揮発性メモに１４Ｂには、電子番組ガイド画面表示を行うためのプログラムなどが格納されている。
【００１７】
リモコン送信機１０は、当該放送受信装置３０に指令を送出するための送信機である。リモコン送信機１０には、電源キー、チャンネル指定キー、方向キー、決定キー、ＥＰＧ表示指令キーなどが設けられている。このリモコン送信機１０に設けられたキーを操作すると、そのキーに対応した指令を意味する信号光（リモコン信号）が図示しない発光部から送出される。リモコン受光器１１は、前記信号光を受光し、これを電気信号に変換してＣＰＵ１３に与える。
【００１８】
ＣＰＵ１３は、前記リモコン送信機１０などを用いたユーザーによる電子番組ガイド表示処理や番組予約処理などを行う。ＣＰＵ１３及びＯＳＤ表示回路１２は、請求項に記載の表示手段、時間帯表示変更手段、及び番組情報表示変更手段として機能する。以下、具体的に説明していく。
【００１９】
図２（ａ）（ｂ）は、ＣＰＵ１３及びＯＳＤ表示回路１２によって表示処理された電子番組ガイド画面例を示している。この例では、時間軸は回転型としており（時間軸を、円板を斜視的に見たときの外周形状に沿った形態で表示しており）、同図（ａ）では、時間軸を現在時刻の部分と、１時間後の部分と、２時間後の部分という具合に１時間単位で３つの時間幅（帯）を表記しており、同図（ｂ）では現在時刻の部分と、２４時間後の部分と、４８時間後の部分という具合に２４時間（１日）単位で３つの時間幅を表記している。そして、前記時間軸の一部を構成している３つの時間幅の各々に関連させ且つその表示長さに拘束されない長さの辺を有した別表示領域を作成し（表示された時間軸の或る時間帯に対応する番組情報を表示する別表示領域を各時間帯ごとに作成し）、この別表示領域に各時間幅内の番組欄（番組情報）を表示している。上記関連は、この実施形態では３つの時間幅の並び順に対応して別表示領域を並べることに加え、図に示しているごとく、時間幅の縁と別表示領域の角とを点線で結ぶ形態としている。勿論、これに限るものではなく、時間幅と別表示領域の対応を利用者に認識させ得るものであれば、どのような形態を採用してもよい。別表示領域に表示された番組欄には、スクロールバーが表示されており、チャンネル部分のスクロール、更には時間軸のスクロールが行えるようにしている。利用者はリモコン送信機１０を操作することによって図２（ａ）（ｂ）のいずれかを任意に表示させることができる他、例えば、１週間単位で時間幅を表記するモードも選択することができる。
【００２０】
また、例えばリモコン送信機１０の右方向キーが操作されたときには、現在時刻の表記部分はそのままとし、時間軸上の時間を進める処理、すなわち、図２（ａ）において、１時間後の表記部分には２時間後と表記し、２時間後の表記部分には３時間後と表記させる処理を行う。そして、この時間変更に応じて現在時刻以外の２つの別表示領域においては、変更された時間の番組情報を表示する。同様に、図２（ｂ）においては、２４時間後の表記部分には４８時間後と表記し、４８時間後の表記部分には７２時間後と表記させる処理を行う。そして、この時間変更に応じて現在時刻以外の２つの別表示領域においては、変更された時間の番組情報を表示する。すなわち、時間軸を回転させることで新しい番組表を次々と表示させていくことができる。また、リモコン送信機１０の左方向キーが操作されたときには、現在時刻の表記部分はそのままとし、時間軸上の時間を後退させる処理を行う。
【００２１】
図３（ａ）（ｂ）は、他の電子番組ガイド画面例を示している。この例では、時間軸は縦方向直線型としてあり、同図（ａ）では、時間軸を現在時刻の部分と、１時間後の部分と、２時間後の部分と、３時間後の部分という具合に１時間単位で４つの時間幅を表記しており、同図（ｂ）では現在時刻の部分と、２４時間後の部分と、４８時間後の部分と、７２時間後の部分という具合に２４時間（１日）単位で４つの時間幅を表記している。そして、前記時間軸の一部を構成している４つの時間幅のうちの３つの時間幅の各々に関連させ且つその表示長さに拘束されない長さの辺を有した別表示領域を作成し、この別表示領域に各時間幅内の番組欄を表示している。別表示領域に表示された番組欄には、スクロールバーが表示されており、チャンネル部分のスクロール、更には時間軸のスクロールが行えるようにしている。利用者はリモコン送信機１０を操作することによって図３（ａ）（ｂ）のいずれかを任意に表示させることができる他、例えば、１週間単位で時間幅を表記するモードも選択することができる。
【００２２】
また、例えばリモコン送信機１０の下方向キーが操作されたときには、現在時刻の表記部分はそのままとし、時間軸上の時間を進める処理、すなわち、図３（ａ）において、１時間後の表記部分には２時間後と表記し、２時間後の表記部分には３時間後と表記し、３時間後の表記部分には４時間後と表記させる処理を行う。そして、この時間変更に応じて現在時刻以外の２つの別表示領域においては、変更された時間の番組情報を表示する。同様に、図３（ｂ）においては、２４時間後の表記部分には４８時間後と表記し、４８時間後の表記部分には７２時間後と表記し、７２時間後の表記部分には９６時間後と表記させる処理を行う。そして、この時間変更に応じて現在時刻以外の２つの別表示領域においては、変更された時間の番組情報を表示する。また、リモコン送信機１０の上方向キーが操作されたときには、現在時刻の表記部分はそのままとし、時間軸上の時間を後退させる処理を行う。
【００２３】
また、ＣＰＵ１３は、利用者の視聴履歴情報（チャンネル、時間帯、番組ジャンル、番組名等）を取得して不揮発性メモリ１４Ｂに格納し、この視聴履歴情報に基づいて利用者がよく視聴するチャンネル、時間帯、番組ジャンル、番組名等を判断する。そして、前記別表示領域に表示する番組が利用者がよく視聴する番組であると判断したときには、その部分の色を他の部分とは異なる色にて表示する処理を行う。図３では、サッカー番組を利用者がよく視聴すると判断されて、その部分の色を変化させた状態を示している。
【００２４】
図４（ａ）（ｂ）は、他の電子番組ガイド画面例を示している。この例では、時間軸は縦方向直線型としてあり、同図（ａ）では、時間軸上に３０分単位で目盛りを付記しており、同図（ｂ）では１２時間単位で目盛りを付記している。利用者は、この時間軸上で一部の範囲を指定することができる。この指定は、例えばリモコン送信機１０の方向キーを操作して希望する時間帯の始まりの位置にカーソル（図の白抜き矢印）を移動させ、決定キーを押して始まり位置を決定し、その後に再びリモコン送信機１０の方向キーを操作して希望する時間帯の終わりの位置にカーソルを移動させ、決定キーを押して終わり位置を決定することで行える。利用者によって指定された時間範囲に基づいてＣＰＵ１３はその時間内の番組情報をメモリ１４Ａから取得し、この取得した番組情報に基づいて別表示領域上に番組欄を表示する。
【００２５】
また、時間軸の表示範囲は図４（ａ）の例では現在時刻から２時間半後までとなっているが、図の白抜き三角部分に対して操作を行うことで、３時間後から５時間半後といった範囲の表示に変化させることができる。図４（ｂ）の例においても、同様に変化させることができる。
【００２６】
上述した電子番組ガイド画面表示は、例えば２４時間が前記時間軸上で１ｃｍの長さで表示されたとしても、前記２４時間の表示長さ（１ｃｍ）に拘束されずに長い長さの辺を有した大きな別表示領域を作成することができるので、この大きな別表示領域において見やすい番組欄を表示することができる。そして、例えば図２（ｂ）の例で言えば前記時間軸上に２４時間後、４８時間後、７２時間後といった時間が設定されているので、利用者は数日先の番組情報を素早く知ることができる。
【００２７】
なお、上記の実施形態においては、ＢＳディジタル放送を受信する形態について示したが、ＣＳディジタル放送や地上波放送の受信する形態等にも適用することができる。勿論、セットトップボックスの形態に限らず、テレビ一体型の構成としてもよい。
【００２８】
【発明の効果】
以上説明したように、この発明によれば、簡単な操作によって数日乃至数十日先の番組表を素早く利用者に提示することができるという効果を奏する。
【図面の簡単な説明】
【図１】この発明の実施形態のディジタル放送受信装置を示すブロック図である。
【図２】時間軸を回転型とした電子番組ガイド画面表示例を示した説明図であって、同図（ａ）は時間軸を１時間単位で表した例であり、同図（ａ）は時間軸を２４時間単位で表した例である。
【図３】時間軸を縦方向直線型とした電子番組ガイド画面表示例を示した説明図であって、同図（ａ）は時間軸を１時間単位で表した例であり、同図（ａ）は時間軸を２４時間単位で表した例である。
【図４】時間軸を縦方向直線型とし、この時間軸上で利用者が任意の時間幅を指定できる形態を採用した電子番組ガイド画面表示例を示した説明図であって、同図（ａ）は目盛りが３０分単位の例であり、同図（ａ）は目盛りが１２時間単位の例である。
【符号の説明】
１    アンテナ
２    チューナ
３    デマルチプレクサ（ＤＥＭＵＸ）
４    ＡＶデコーダ
１０  リモコン送信機
１３  ＣＰＵ
１６  モニタ
【図１】
0004212229.tif 000002
【図２】
0004212229.tif 000003
【図３】
0004212229.tif 000004
【図４】
0004212229.tif 000005